(57)【要約】【課題】枠の厚さに無関係に引込み装置又は受座を取り付けることができ、取り付けが容易な引込み装置ユニットを提供する。【解決手段】引込み装置ユニットは、枠１の上枠１ａの、開き戸２の開き方向側の壁面１ｆに取り付けられる引込み装置４と、開き戸２の開き方向側の壁面２ａに取り付けられる受座６と、を備える。引込み装置４は、受座６の受座軸７が離脱可能に嵌まる溝５ａを有するアーム５を備える。アーム５は、開き戸２を閉じるとき、溝５ａに受座軸７を嵌めた状態で垂直軸の回りを回転して、開き戸２に閉じ方向の回転力を付与し、開き戸２を開くとき、受座軸７から離れる。開き戸２の上面２ｂよりも上方において、引込み装置４のアーム５と受座軸７とが係合する。【選択図】図１
2015124601.tif 000002
【特許請求の範囲】
【請求項１】
枠の上枠又は建築物の、開き戸の開き方向側の壁面に取り付けられる引込み装置及び受座のいずれか一方と、
開き戸の開き方向側の壁面に取り付けられる前記引込み装置及び前記受座の他方と、を備え、
前記引込み装置は、
前記受座の受座軸が離脱可能に嵌まる溝を有し、開き戸を閉じるとき、前記溝に前記受座軸が嵌まった状態で垂直軸の回りを回転して、開き戸に閉じ方向の回転力を付与し、開き戸を開くとき、前記受座軸が前記溝から離れるアームを備え、
前記開き戸の上面よりも上方において、前記引込み装置の前記アームと前記受座軸とが係合する引込み装置ユニット。
【請求項２】
枠の上枠の壁面に前記引込み装置又は前記受座が取り付けられ、
前記引込み装置又は前記受座は、枠の上枠の下面に当接可能な位置決め片を有することを特徴とする請求項１に記載の引込み装置ユニット。
【請求項３】
前記引込み装置は、
前記位置決め片、及び上枠の壁面に締結部材によって取り付けられる本体部を有するブラケットと、
締結部材によって前記ブラケットに取り付けられる引込み装置本体と、を備えることを特徴とする請求項２に記載の引込み装置ユニット。
【請求項４】
開き戸の壁面に前記受座又は前記引込み装置が取り付けられ、
前記受座又は前記引込み装置は、開き戸の上面に当接可能な位置決め片を有することを特徴とする請求項１ないし３のいずれかに記載の引込み装置ユニット。
【請求項５】
前記受座は、前記受座軸の、枠の上枠の壁面又は開き戸の壁面に対して直交する方向の位置を調整する位置調整機構を備えることを特徴とする請求項２ないし４のいずれかに記載の引込み装置ユニット。
【発明の詳細な説明】
【技術分野】
【０００１】
本発明は、建築物の開き戸に引込み力を付与する引込み装置ユニットに関する。
【背景技術】
【０００２】
建築物の開き戸に引込み力を付与する引込み装置ユニットが知られている（特許文献１参照）。図１０に示すように、引込み装置ユニットは、枠１０１に取り付けられる引込み装置１０２と、開き戸１０３に取り付けられる受座１０４と、を備える。引込み装置１０２は、引き出された位置から引込み位置まで垂直軸の回りを回転するアーム１０２ａを備える。アーム１０２ａは、受座１０４の受座軸１０４ａが離脱可能に嵌まる溝１０２ｂを有する。図１１（ａ）に示すように、開き戸１０３を閉じるとき、受座１０４の受座軸１０４ａが引き出された位置のアーム１０２ａの溝１０２ｂに嵌まる。図１１（ａ）から図１１（ｂ）に示すように、アーム１０２ａは溝１０２ｂに受座軸１０４ａが嵌まった状態で垂直軸の回りを回転して、開き戸１０３に閉じ方向の回転力を付与する。図１０に示すように、開き戸１０３を開くとき、受座１０４の受座軸１０４ａはアーム１０２ａの溝１０２ｂから離れる。このため、開き戸１０３を少ない力で開くことができる。
【先行技術文献】
【特許文献】
【０００３】
【特許文献１】特開２００９−２８７２３７号公報
【発明の概要】
【発明が解決しようとする課題】
【０００４】
引き込み装置ユニットにあっては、開き戸を閉じたとき、受座の受座軸が引込み装置のアームの溝に嵌まっていなければならない。この要請から、従来の引込み装置ユニットにあっては、引込み装置及び受座のいずれか一方が枠の上枠の下面に取り付けられていた。
【０００５】
しかし、上枠の下面に引込み装置を取り付けると、上枠の下面に引込み装置又は受座を取り付けるためのスペースが必要になり、枠の厚さが厚くなるという問題がある。
【０００６】
そこで、本発明は、枠の厚さに無関係に引込み装置又は受座を取り付けることができ、取り付けが容易な引込み装置ユニットを提供することを目的とする。
【課題を解決するための手段】
【０００７】
上記課題を解決するために、本発明の一態様は、枠の上枠又は建築物の、開き戸の開き方向側の壁面に取り付けられる引込み装置及び受座のいずれか一方と、開き戸の開き方向側の壁面に取り付けられる前記引込み装置及び前記受座の他方と、を備え、前記引込み装置は、前記受座の受座軸が離脱可能に嵌まる溝を有し、開き戸を閉じるとき、前記溝に前記受座軸が嵌まった状態で垂直軸の回りを回転して、開き戸に閉じ方向の回転力を付与し、開き戸を開くとき、前記受座軸が前記溝から離れるアームを備え、前記開き戸の上面よりも上方において、前記引込み装置の前記アームと前記受座軸とが係合する引込み装置ユニットである。
【０００８】
本発明の好ましい一態様は、枠の上枠の壁面に前記引込み装置又は前記受座が取り付けられ、前記引込み装置又は前記受座は、枠の上枠の下面に当接可能な位置決め片を有することを特徴とする。
【０００９】
本発明のさらに好ましい一態様は、前記引込み装置は、前記位置決め片、及び上枠の壁面に締結部材によって取り付けられる本体部を有するブラケットと、締結部材によって前記ブラケットに取り付けられる引込み装置本体と、を備えることを特徴とする。
【００１０】
本発明のさらに好ましい一態様は、開き戸の壁面に前記受座又は前記引込み装置が取り付けられ、前記受座又は前記引込み装置は、開き戸の上面に当接可能な位置決め片を有することを特徴とする。
【００１１】
本発明のさらに好ましい一態様は、前記受座は、前記受座軸の、枠の上枠の壁面又は開き戸の壁面に対して直交する方向の位置を調整する位置調整機構を備えることを特徴とする。
【発明の効果】
【００１２】
本発明の一態様によれば、引込み装置及び受座のいずれか一方が枠の上枠又は建築物の、開き戸の開き方向側の壁面に取り付けられ、引込み装置及び受座の他方が開き戸の開き方向側の壁面に取り付けられるので、枠の上枠の下面に引込み装置又は受座を取り付ける必要がなくなり、枠の厚さに無関係に引込み装置ユニットを取り付けることができる。また、開き戸の上面よりも上方において、引込み装置のアームと受座軸とが係合するので、開き戸を開閉するとき、上枠又は建築物の壁面に取り付けられる引込み装置のアーム又は受座の受座軸が開き戸に当たることがない。さらに、引込み装置のアーム及び受座の受座軸が見え易くなるので、引込み装置及び受座の位置調整も容易になる。さらに、引込み装置及び受座が枠及び開き戸の開き方向側（例えば室外側）に取り付けられるので、例えば室内側から見たときの枠及び開き戸の美観も向上する。
【００１３】
本発明の好ましい一態様によれば、引込み装置又は受座が枠の上枠の下面に当接可能な位置決め片を有するので、引込み装置を上下方向に位置決めすることができる。
【００１４】
本発明のさらに好ましい一態様によれば、引込み装置が、上枠の壁面に締結部材によって取り付けられるブラケットと、締結部材によってブラケットに取り付けられる引込み装置本体と、を備えるので、高さ方向の寸法が小さい上枠に引込み装置を取り付けるのが容易になる。
【００１５】
本発明のさらに好ましい一態様によれば、受座又は引込み装置が開き戸の上面に当接可能な位置決め片を有するので、受座又は引込み装置を上下方向に位置決めすることができる。
【００１６】
本発明のさらに好ましい一態様によれば、受座軸を、上枠の壁面又は開き戸の壁面に対して直交する方向に位置調整することができる。
【図面の簡単な説明】
【００１７】
【図１】本発明の第一の実施形態の引込み装置ユニットの斜視図
【図２】化粧カバーを取り外した本実施形態の引込み装置ユニットの斜視図
【図３】本実施形態の引込み装置の内部構造図
【図４】本実施形態の引込み装置の分解斜視図
【図５】本実施形態の受座の分解斜視図
【図６】本実施形態の引込み装置及び受座の正面図
【図７】図６のVII-VII線断面図
【図８】開き戸を閉めるときのアームの挙動を示す平面図（図８（ａ）は引き出された位置のアームに受座軸が当接した状態を示し、図８（ｂ）はアームが引込み方向に思案点の角度まで回転した状態を示す）
【図９】本発明の第二の実施形態の引込み装置ユニットの斜視図
【図１０】従来の引込み装置ユニットの斜視図
【図１１】従来の引込み装置ユニットのアームの挙動を示す平面図（図１１（ａ）は引き出された位置のアームに受座軸が当接した状態を示し、図１１（ｂ）はアームが引込み位置まで回転した状態を示す）
【発明を実施するための形態】
【００１８】
以下添付図面に基づいて本発明の第一の実施形態の引込み装置ユニットを説明する。図１は、枠１及び開き戸２に取り付けられた本実施形態の引込み装置ユニットを示す。枠１は、上枠１ａ、左右の縦枠１ｂ，１ｃ、及び下枠１ｄを備える。枠１の内側には、開き戸２を閉じたときに開き戸２の閉じ方向側の壁面に当たる戸当たり１ｅが設けられる。枠１には、一軸ヒンジ３を介して開き戸２が開閉可能に取り付けられる。開き戸２を閉めたとき、枠１の壁面１ｆと開き戸２の壁面２ａとは略同一の平面内に配置される。
【００１９】
上枠１ａの、開き戸２の開き方向側の壁面１ｆには、引込み装置４が取り付けられる。引込み装置４は、引き出された位置から引込み位置まで垂直軸の回りを回転するアーム５を備える。アーム５は、受座６の受座軸７が離脱可能に嵌まる溝５ａを有する。アーム５の回転中心になる垂直軸は、釣元側に配置される。開き戸２の開き方向側の壁面２ａには、受座６が取り付けられる。受座６は、引込み装置４のアーム５の溝５ａに嵌まる受座軸７を備える。引込み装置４及び受座６は、化粧カバーで覆われる。
【００２０】
図１に示すように、開き戸２を開いたとき、受座６の受座軸７は引込み装置４のアーム５から離れている。開き戸２を閉じると、受座軸７がアーム５の溝５ａに嵌まり、アーム５が引き出された位置から引込み位置まで垂直軸の回りを回転し、開き戸２に閉じ方向の回転力を付与する。アーム５は、開閉する開き戸２に当たらないように、開き戸２の上面２ｂよりも上方に配置される。受座軸７の少なくとも上端部はアーム５に係合できるように、開き戸２の上面２ｂよりも上方に配置される。
【００２１】
図２は、化粧カバーを取り外した引込み装置４及び受座６を示す。引込み装置４は、上枠１ａの壁面１ｆにねじ等の締結部材によって取り付けられるブラケット１１と、ブラケット１１にかしめピン等の締結部材によって取り付けられる引込み装置本体１２と、を備える。ブラケット１１は、上枠１ａの下面１ｇに当接可能な位置決め片としての位置決め爪１４を有し（図３参照）、上下方向に位置決めされた状態で上枠１ａに取り付けられる。枠１は建築物の壁で囲まれている。ブラケット１１が上枠１ａの上下方向の高さ寸法以内に収まらないとき、ブラケット１１は上枠１ａ及び建築物の壁面に取り付けられてもよいし、建築物の壁面のみに取り付けられてもよい。
【００２２】
図２に示すように、受座６は、開き戸２の壁面２ａの上端にねじ等の締結部材によって取り付けられる。受座６は、開き戸２の上面２ｂに当接可能な位置決め片としての位置決め爪８を有する。受座６は、上下方向に位置決めされた状態で開き戸２に取り付けられる。受座６の構造は後述する。
【００２３】
図３は、引込み装置４の内部構造図を示す。引込み装置４は、ブラケット１１と、ブラケット１１に取り付けられる引込み装置本体１２を備える。引込み装置本体１２は、図３中二点鎖線で示すケース２１と、ケース２１に垂直軸の回りを回転可能に支持されるアーム５と、アーム５に引き出し方向及び引き込み方向の回転力（トルク）を与えるスライダクランク機構２２と、引き込み時にアーム５がゆっくり引き込まれるようにするダンパ機構２３と、を備える。
【００２４】
図４の分解斜視図を参照しつつ、ブラケット１１、ケース２１、アーム５、スライダクランク機構２２及びダンパ機構２３を順番に説明する。
【００２５】
ブラケット１１は、引込み装置本体１２が取り付けられる本体部としての本体プレート１５と、位置決め片としての位置決め爪１４と、を備える。本体プレート１５は、左右方向（枠１の間口方向）に細長い長方形に形成される。本体プレート１５には、ブラケット１１を上枠１ａに取り付けるためのねじ等の締結部材が挿入される取付け穴１５ａが開けられる。また、本体プレート１５には、引込み装置本体１２を取り付けるためのかしめピン１６等の締結部材が挿入される取付け穴１５ｂが開けられる。位置決め爪１４は、本体プレート１５の背面側に本体プレート１５から直交する方向に突出する。位置決め爪１４は、本体プレート１５の長さ方向に離れて複数設けられる。本体プレート１５の長さ方向の両端部１５ｃは、引込み装置本体１２側に折り曲げられる。本体プレート１５の背面側が上枠１ａの壁面１ｆに接触する。位置決め爪１４は上枠１ａの下面１ｇに接触する。
【００２６】
ケース２１は、一対の側壁２１ａと、底壁２１ｂと、を有し、断面Ｕ字形に形成される。ケース２１は、左右方向（枠１の間口方向）に細長い。ケース２１の長さ方向の中央部にアーム５の垂直軸２４が配置される。ケース２１の、垂直軸２４の一方の側にスライダクランク機構２２が配置され、ケース２１の、垂直軸２４の他方の側にダンパ機構２３が配置される。ケース２１の上端部、長さ方向の両端部は開口する。ケース２１の下部には、アーム５を回転させるためのアーム用開口２１ｃが開けられる。
【００２７】
アーム５は、金属製のアーム本体３１と、受座軸７に衝突するときの衝撃音を低減する緩衝体３２と、アーム本体３１を覆うと共に、緩衝体３２を露出させる樹脂製のアームカバー３３と、アーム本体３１と一体に回転する樹脂製のアーム軸３４と、を備える。アームカバー３３は、緩衝体３２がアーム本体３１から脱落するのを防止する役割も持つ。アーム本体３１を金属製にするのは、アーム５の強度を高くし、重量の重い開き戸２にも引込み力を付与できるようにするためである。ただし、開き戸２の重量が重くなければ、アーム本体３１及びアームカバー３３を一体の樹脂成形品にすることもできる。
【００２８】
アーム本体３１とアーム軸３４には、垂直軸２４が貫通する。垂直軸２４は、引込み装置本体１２のケース２１に両端部が固定される。アーム本体３１とアーム軸３４とは、垂直軸２４の回りを一体に回転する。アーム本体３１とアーム軸３４とは、第一及び第二のピン３５ａ，３５ｂによって連結される。第一のピン３５ａは、アーム５に回転力を付与するスライダクランク機構２２のリンク３６に連結される。第二のピン３５ｂは、回転するアーム５に制動力を付与するダンパ機構２３のスライドブロック４１に連結される。
【００２９】
スライダクランク機構２２は、リンク３６、スライダ３７、コイルばね３８、及びばねベース３９を備える。リンク３６の一端部はアーム５に垂直軸２４から偏心した位置に第一のピン３５ａを介して回転可能に連結され、リンク３６の他端部はスライダ３７にピン４０を介して回転可能に連結される。スライダ３７はケース２１に一方向にスライド可能に支持される。弾性部材としてのコイルばね３８はスライダ３７とばねベース３９との間に介在し、スライダ３７に付勢力を与える。
【００３０】
ダンパ機構２３は、スライドブロック４１、例えば三本のダンパ４２、ダンパ４２の位置を調節するダンパ受け４３、ダンパベース４４、及びダンパ調整軸４５を備える。スライドブロック４１には、アーム５の第二のピン３５ｂが通される長孔４１ａが形成される。スライドブロック４１はケース２１に一方向にスライド可能に支持される。アーム５が回転すると、スライドブロック４１が一方向にスライドする。ダンパ４２はスライドブロック４１とダンパ受け４３との間に介在する。ダンパ４２には、本体部に対してロッドがストロークする伸縮式のダンパが用いられる。アーム５が引き込まれる方向に回転するとき、ダンパ４２が縮まり、ダンパ力が発生するようになっている。ダンパベース４４はケース２１に固定される。ダンパベース４４には、上下方向に複数段（この実施形態では二段）、左右方向に複数列（この実施形態では二列）のダンパ収容部４４ａが形成される。ダンパベース４４には、複数のダンパ４２に接するダンパ受け４３が一方向にスライド可能に設けられる。ダンパベース４４には、ダンパ受け４３の一方向の位置を調整するためのダンパ調整軸４５が組み込まれる。ダンパ調整軸４５を回転させることによって、複数のダンパ４２に接するダンパ受け４３の位置が調整され、複数のダンパ４２の位置が同時に調整される。ダンパ受け４３を設けるのは、上下方向及び左右方向に配列される複数のダンパ４２の位置を同時に調整するためである。
【００３１】
図５は、受座６の分解斜視図を示す。受座６は、開き戸２の壁面２ａに取り付けられる受座ベース５１と、受座ベース５１に支持される受座軸７と、受座ベース５１に対する受座軸７の、開き戸２の壁面２ａに対して直交する方向（以下、奥行き方向という）の位置を調整する位置調整機構としての受座ブロック５２と、を備える。受座ベース５１は、開き戸２の壁面２ａからブラケット状に突出する。受座ベース５１には、受座６を開き戸２に取り付けるためのねじ等の締結部材が挿入される取付け穴５１ａが開けられる。受座ベース５１には、受座ベース５１の背面側に突出する位置決め片としての位置決め爪８が設けられる。位置決め爪８は、受座ベース５１の左右方向（開き戸２の間口方向）に離れて複数設けられる。受座ベース５１の背面側が開き戸２の壁面２ａに接触する（図２参照）。位置決め爪８は開き戸２の上面２ｂに接触する（図２参照）。受座ベース５１の上面には、ぎざぎざ５１ｃ（連続した凹凸）が形成される。
【００３２】
受座ベース５１の上面には、受座ブロック５２がねじ等の締結部材５８を介して取り付けられる。受座ブロック５２の下面には、ぎざぎざ５２ａ（連続した凹凸）が形成される。締結部材５８を緩めれば、受座ブロック５２の奥行き方向の位置を調整できる。調整後、締結部材５８を締めれば、受座ブロック５２が受座ベース５１に奥行き方向に固定される。
【００３３】
受座ブロック５２には、受座軸７が固定される。受座軸７は、受座ブロック５２にねじ固定される固定軸５６と、固定軸５６に対して軸方向に移動可能な可動軸５５と、を備える。図６の受座６の正面図に示すように、可動軸５５がアーム５の溝５ａに嵌まる。図７の受座６の断面図に示すように、可動軸５５は、コイルばね５４によって突出した状態で固定軸５６に入れ子式に嵌められる。固定軸５６の外周面にはねじが形成されていて、固定軸５６は受座ブロック５２にねじで固定される。固定軸５６にはナット５７も螺合する。固定軸５６を回転させると、ねじの作用によって固定軸５６の上下方向の位置が調整される。固定軸５６の位置を調整後、ナット５７を締めることで、固定軸５６が受座ブロック５２に固定される。
【００３４】
可動軸５５と固定軸５６との間にコイルばね５４を介在させるのは、いたずら等によって引き出された位置のアーム５が引込み位置に移動しても、可動軸５５がアーム５の溝５ａに嵌まるようにするためである。図７に示すように、アーム５が引込み位置に移動していても、開き戸２を閉じると、可動軸５５がアーム５の溝５ａの脇の傾斜面５ｂを乗り越え、アーム５の溝５ａに嵌まる。可動軸５５が傾斜面５ｂを乗り越えるようにするために、コイルばね５４が設けられる。固定軸５６には、伸縮するコイルばね５４の歪を矯正する案内軸５３が固定される。
【００３５】
図８を参照しつつ、引込み装置４の動きを説明する。図８（ａ）に示すように、アーム５が引き出された位置にあるとき、スライダクランク機構２２はアーム５にさらに引き出される方向（１）に回転力（トルク）を与える。このためアーム５の引き出された位置が保たれる。開き戸２を閉じて、受座軸７が引き出された位置のアーム５に当たると、図８（ｂ）に示すようにアーム５が引込み方向（２）に回転する。アーム５には緩衝体３２が設けられているので、このときの衝撃音を低減することができる。アーム５がスライダクランク機構２２の思案点を超えると、スライダクランク機構２２はアーム５に引込み方向（２）のトルクを与え、アーム５が引込み方向（２）に回転する。アーム５の溝５ａには、受座軸７が嵌まっているので、アーム５の引込み方向（２）の回転によって開き戸２に引込み力が付与される。開き戸２が戸当たり１ｅに当たる全閉位置にあるとき、スライダクランク機構２２はアーム５にさらに引込み方向（２）のトルクを与える。このため、開き戸２の全閉位置が保たれる。
【００３６】
開き戸２を開くときは、アーム５は上記とは逆の挙動を示す。すなわち、開き戸２を開くと、受座軸７がアーム５を引込み位置から引き出し方向（１）に回転させる。アーム５が図８（ｂ）に示す思案点の角度まで回転すると、スライダクランク機構２２がアーム５に与える回転力の方向が切り替わり、アーム５に引き出し方向（１）の回転力が付与される。このため、アーム５が図８（ａ）に示す引き出し位置まで自動的に回転する。
【００３７】
図９は、本発明の第二の実施形態の引込み装置ユニットを示す。上記第一の実施形態の引込み装置ユニットでは、引込み装置４が枠１の上枠１ａの壁面１ｆに取り付けられ、受座６が開き戸２の壁面２ａに取り付けられているが、この実施形態では、引込み装置４が開き戸２の壁面２ａに取り付けられ、受座６が枠１の上枠１ａの壁面１ｆに取り付けられる。受座６の受座軸７は、開閉する開き戸２に当たらないように、開き戸２の上面２ｂよりも上方に配置される。引込み装置４のアーム５は、受座６の受座軸７に係合するように、開き戸２の上面２ｂよりも上方に配置される。
【００３８】
この実施形態では、引込み装置４は、ブラケット１１を介することなく、直接開き戸２に取り付けられる。それ以外の引込み装置４の構造は、第一の実施形態の引込み装置４と略同一であるので、同一の符号を附してその説明を省略する。また、受座６の構造も、第一の実施形態の受座６と略同一なので、同一の符号を附してその説明を省略する。
【００３９】
なお、本発明は上記実施形態に具現化されるのに限られることはなく、本発明の要旨を変更しない範囲で様々な実施形態に変更できる。
【００４０】
上記に記載の引込み装置の構造は、一例であり、例えばダンパ機構を省略することもできるし、アームに回転力を付与できるものであれば、スライダクランク機構以外にも様々な機構を採用できる。アームには、緩衝体を設けなくてもよい。
【００４１】
また、上記実施形態では、引込み装置本体が取り付けられるブラケットに位置決め爪を設けているが、引込み装置のケースに位置決め爪を設け、ブラケットを介することなく引込み装置を枠に直接取り付けることもできる。
【符号の説明】
【００４２】
１…枠
１ａ…上枠
１ｆ…上枠の壁面
２…開き戸
２ａ…開き戸の壁面
２ｂ…開き戸の上面
４…引込み装置
５…アーム
５ａ…アームの溝
６…受座
７…受座軸
８…受座の位置決め爪（受座の位置決め片）
１１…ブラケット
１２…引込み装置本体
１４…引込み装置の位置決め爪（引込み装置の位置決め片）
１５…本体プレート（本体部）
２４…アームの垂直軸
【図１】
2015124601.tif 000003
【図２】
2015124601.tif 000004
【図３】
2015124601.tif 000005
【図４】
2015124601.tif 000006
【図５】
2015124601.tif 000007
【図６】
2015124601.tif 000008
【図７】
2015124601.tif 000009
【図８】
2015124601.tif 000010
【図９】
2015124601.tif 000011
【図１０】
2015124601.tif 000012
【図１１】
2015124601.tif 000013